(57)【要約】      （修正有）【課題】靴の中に異物や虫類が混入することを防ぐとともに、靴ひものほどけやすさを軽減することの可能なサポーター付きソックスを提供する。【解決手段】サポーター付きソックス１００は、足を挿入する足挿入部１１２と足を収容する足収容部１１４とを有するソックス本体１１０と、足挿入部１１２の近傍に連結され、足収容部１１４の少なくとも一部を覆う筒状のサポーター部１２０とを備えたことを特徴とする。足挿入部１１２の近傍に、足収容部１１４を覆うサポーター部１２０を設けたことによって、靴を履いたときに、上部から靴をサポーター部１２０で覆うことができる。このため、靴の中に異物や虫類が混入することを防ぐとともに、靴ひものほどけやすさを軽減することが可能である。【選択図】図１
0003201119.tif 000002
【実用新案登録請求の範囲】
【請求項１】
足を挿入する足挿入部と足を収容する足収容部とを有するソックス本体と、
前記足挿入部の近傍に連結され、前記足収容部の少なくとも一部を覆う筒状のサポーター部と、
を備えたことを特徴とする、サポーター付きソックス。
【請求項２】
前記足挿入部の近傍に、前記サポーター部を着脱自在に連結する連結部を備えたことを特徴とする、請求項１に記載のサポーター付きソックス。
【考案の詳細な説明】
【技術分野】
【０００１】
本考案は、ソックスにサポーター機能を付加したサポーター付きソックスに関する。
【背景技術】
【０００２】
近年のアウトドアブームにより、アウトドア用のソックスが製造販売されている。例えば、従来の登山用ソックスは、長時間足裏に強い荷重がかけ続けられることから、一般的なソックスと比べて生地に着目した工夫が施されている。ソックスのフィット感、肌触り、乾きやすさ、衝撃の少なさ、保温性など、さまざまな工夫が施された登山用ソックスが知られている（例えば、非特許文献１参照。）。
【先行技術文献】
【非特許文献】
【０００３】
【非特許文献１】インターネット＜ＵＲＬ：https://ja.wikipedia.org/wiki/%E9%9D%B4%E4%B8%8B＞
【考案の概要】
【考案が解決しようとする課題】
【０００４】
しかし、従来の登山用ソックスでは、歩行中に登山靴の中に、異物（枯葉や砂、土など）や、虫類（ヒルやマダニ等）が混入してしまう。また、登山靴のひもがほどけやすく、歩行中にほどけた靴ひもが木々にひっかかり、転倒事故などにつながるおそれがあった。従来の登山用ソックスでは、このような問題に着目されたものは知られていなかった。なおこのような問題は、登山用ソックスに限らず、一般的なソックスもまた同様に有する問題である。
【０００５】
そこで本考案は、このような問題に鑑みてなされたものであり、その目的とするところは、靴の中に異物や虫類が混入することを防ぐとともに、靴ひものほどけやすさを軽減することの可能な、新規かつ改良されたサポーター付きソックスを提供することにある。
【課題を解決するための手段】
【０００６】
上記課題を解決するために、本考案によれば、足を挿入する足挿入部と足を収容する足収容部とを有するソックス本体と、前記足挿入部の近傍に連結され、前記足収容部の少なくとも一部を覆う筒状のサポーター部と、を備えたことを特徴とする、サポーター付きソックスが提供される。
【０００７】
かかる構成によれば、足挿入部の近傍に、足収容部を覆うサポーター部を設けたことによって、靴を履いたときに、上部から靴をサポーター部で覆うことができる。このため、靴の中に異物や虫類が混入することを防ぐとともに、靴ひものほどけやすさを軽減することが可能である。
【０００８】
本考案は、さまざまな応用が可能である。例えば、前記足挿入部の近傍に、前記サポーター部を着脱自在に連結する連結部を備えるようにしてもよい。このような連結部としては、例えば、ホックや面テープなどを用いることができる。かかる構成によれば、ソックス本体に対して、サポーター部を着脱自在に連結できることによって、サポーター部を外して普通のソックスとしても用いることができる。また、洗ったり干したりといった手入れをする際にも便利である。
【考案の効果】
【０００９】
本考案のサポーター付きソックスによれば、靴の中に異物や虫類が混入することを防ぐとともに、靴ひものほどけやすさを軽減することが可能である。本考案のその他の効果については、以下の考案を実施するための形態の項でも説明する。
【図面の簡単な説明】
【００１０】
【図１】本考案の一実施形態にかかるサポーター付きソックス１００の構成を概略的に示す図である。
【図２】サポーター付きソックス１００の使用方法を概略的に示す図である。
【考案を実施するための形態】
【００１１】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１２】
まず、図１を参照しながら、本実施形態にかかるサポーター付きソックス１００の構成について説明する。図１は、本実施形態にかかるサポーター付きソックス１００の構成を概略的に示す図である。
【００１３】
サポーター付きソックス１００は、図１に示したように、ソックス本体１１０と、サポーター部１２０とを備えたことを特徴とする。以下、サポーター付きソックス１００の各構成要素について順に説明する。
【００１４】
（ソックス本体１１０）
ソックス本体１１０は、図１に示したように、足を挿入する足挿入部１１２と、足を収容する足収容部と１１４を有する。
【００１５】
足挿入部１１２は、図１に示したように、通常のソックスにおいて足を挿入する部分と同様の構成である。足を挿入した際にずり落ちないように、伸縮性のあるゴム生地等で構成することができる。足挿入部１１２の近傍（図１の例では、足挿入部１１２の下部）には、後述するサポーター部１２０が連結されている。
【００１６】
足収容部１１４は、図１に示した一例では、足の全体を覆うものとして構成される。図１の例では、足収容部１１４は、通常のソックスにおいて足を収容する部分と同様の構成である。ただし本考案は図１に示した形態に限定されるものではない。例えば、足の指先部分が無く、足の指先が外に出るようなソックスであってもよい。また、かかとまでのソックスや、足首サポーターソックスのように、足の一部又は大半が露出するようなソックスであってもよい。
【００１７】
ソックス本体１１０のサイズ（サポーター付きソックス１００全体のサイズ）は任意である。例えば、子供用・成人女性用・成人男性用などに応じて、様々なサイズのものとすることができる。
【００１８】
また、ソックス本体１１０の生地は、用途によって様々な生地を採用することができる。例えば、通常のソックスと同様の生地である綿などを採用することができる。また、登山などのアウトドア用であれば、厚手の生地を採用することができる。
【００１９】
ソックス本体１１０は、他者の目にも触れるものであるため、デザインを考慮することが好ましい。また、後述するサポーター部１２０のデザインとのバランスを考慮することも好ましい。
【００２０】
（サポーター部１２０）
サポーター部１２０は、図１に示したように、足収容部１１４の周囲の少なくとも一部を覆う筒状の形態を有する。そして、サポーター部１２０は、足挿入部１１２の近傍に連結されている。なお、図１の例では、サポーター部１２０はたるんだ状態であり、伸ばすとかかとに近い部分まで及ぶ長さである。
【００２１】
サポーター部１２０は、足挿入部１１２の近傍において、例えば縫製により連結されている。ここで、足挿入部１１２の近傍とは、足挿入部１１２のゴムの直下など、ソックスの本来の機能を害しない位置である。
【００２２】
サポーター部１２０の生地は、上述したソックス本体１１０と同じ生地を採用することができる。ただし、サポーター部１２０の性質上、ソックス本体１１０とは異なる生地を採用してもよく、例えば、ソックス本体１１０よりも厚い生地にしたり、撥水性のある生地にしたりしてもよい。
【００２３】
また、サポーター部１２０は、他者の目にも触れるものであるため、デザインを考慮することが好ましい。違和感の無いように、サポーター部１２０のデザインを、ソックス本体１１０のデザインと同じ又は一体感あるデザインにしてもよく、あるいは逆に、本実施形態に特徴的な構成であるサポーター部１２０を、目立たせるデザインにしてもよい。
【００２４】
以上、本実施形態にかかるサポーター付きソックス１００の構成について説明した。次に、図２を参照しながら、サポーター付きソックス１００の使用方法について説明する。
【００２５】
まず、図２（ａ）は、使用者がサポーター付きソックス１００を着用し、さらに靴２００を履いた状態を示す。この状態で、ソックス本体１１０は使用者の足に密着している。サポーター部１２０は、靴ひも２１０の上部にたるんだ状態になっている。
【００２６】
そして、図２（ｂ）に示したように、使用者はサポーター部１２０を伸ばして、靴２００を覆う。図２（ｂ）の例では、図２（ａ）に示した靴ひも２１０の部分まで完全に覆っている。足首の後ろ側も、サポーター部１２０によって靴２００が覆われている。
【００２７】
図２（ｂ）に示した状態では、サポーター部１２０によって、上部から靴２００が覆われている。このため、靴２００の中に異物や虫類が混入することを防ぐとともに、靴ひも２１０のほどけやすさを軽減することが可能である。
【００２８】
（本実施形態の効果）
以上説明したように、本実施形態によれば、足挿入部１１２の近傍に、足収容部１１４を覆うサポーター部１２０を設けたことによって、靴２００を履いたときに、上部から靴２００をサポーター部１２０で覆うことができる。このため、靴２００の中に異物や虫類が混入することを防ぐとともに、靴ひも２１０のほどけやすさを軽減することが可能である。
【００２９】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００３０】
例えば、上記実施形態では、サポーター部１２０が足挿入部１１２の近傍において、縫製により連結されている例について説明したが、本考案はこれに限定されない。例えば、足挿入部１１２の近傍に、ホックや面テープなどの連結部を設け、この連結部により、サポーター部１２０を、ソックス本体１１０に着脱自在に連結するようにしてもよい。
【００３１】
このように、ソックス本体１１０に対して、サポーター部１２０を着脱自在に連結できることによって、サポーター部１２０を外して普通のソックスのように用いることができる。また、洗ったり干したりといった手入れをする際にも便利である。
【産業上の利用可能性】
【００３２】
本考案は、ソックスにサポーター機能を付加したサポーター付きソックスに利用可能である。
【符号の説明】
【００３３】
１００  サポーター付きソックス
１１０  ソックス本体
１１２  足挿入部
１１４  足収容部
１２０  サポーター部
２００  靴
２１０  靴ひも
【図１】
0003201119.tif 000003
【図２】
0003201119.tif 000004